(57)【要約】  包装紙で太陽電池モジュールを包んだ包装体（１）と、包装体（１）を複数積み重ねて載せるパレット（３）と、パレット（３）上に積み重ねられた複数の包装体（１）の四隅に設置されて、パレット（３）上に積み重ねられた複数の包装体（１）の角部を保護する包装体保護部材（２）と、パレット（３）上に積み重ねられた複数の包装体（１）と、包装体保護部材（２）とを包んでパレット（３）に固定するラッピング材（４）と、を備える。
2015011818.tif 000002
【特許請求の範囲】
【請求項１】
包装紙で太陽電池モジュールを包んだ包装体と、
前記包装体を複数積み重ねて載せるパレットと、
前記パレット上に積み重ねられた複数の前記包装体の四隅に設置されて、該包装体の角部を保護する包装体保護部材と、
前記パレット上に積み重ねられた複数の前記包装体と、前記包装体保護部材とを包んで前記パレットに固定するラッピング材と、
を備えることを特徴とする太陽電池モジュール梱包体。
【請求項２】
前記包装紙は、長手方向の長さは前記太陽電池モジュールの長さよりも長く、短手方向の長さは前記太陽電池モジュールの幅と同じであり、
前記包装体は、前記太陽電池モジュールの裏面側に被せた前記包装体を、前記太陽電池モジュールの両短辺で表面に折り返して形成されていることを特徴とする請求項１に記載の太陽電池モジュール梱包体。
【請求項３】
前記包装体は、前記包装紙の前記太陽電池モジュールの裏面側に被せられた部分と、前記太陽電池モジュールの表面側に折り返した部分とを、前記太陽電池モジュールの長辺側の側面を跨いで接着するテープを有し、
前記テープは、前記太陽電池モジュールの四隅に対応して４箇所に設置されていることを特徴とする請求項２に記載の太陽電池モジュール梱包体。
【請求項４】
前記パレットと、該パレット上に積み重ねられた複数の前記包装体とに巻き付けられる固定バンドと、
前記包装体と前記固定バンドとの間に挿入されるバンド保護部材とを備えることを特徴とする請求項１から３のいずれか１項に記載の太陽電池モジュール梱包体。
【請求項５】
包装紙で太陽電池モジュールを包んだ包装体を複数形成する工程と、
前記包装体を複数積み重ねてパレットに載せる工程と、
前記パレット上に積み重ねられた複数の前記包装体の四隅に、該包装体の角部を保護する包装体保護部材を設置する工程と、
前記パレット上に積み重ねられた複数の前記包装体と、前記包装体保護部材とをパレットにラッピングして固定する工程と、
を備えることを特徴とする太陽電池モジュールの梱包方法。
【発明の詳細な説明】
【技術分野】
【０００１】
本発明は、複数の太陽電池モジュールを輸送のために梱包した太陽電池モジュール梱包体及び太陽電池モジュールの梱包方法に関する。
【背景技術】
【０００２】
従来、太陽電池モジュールは、薄くて面積が広い構造であるため、積み重ねた状態で輸送される。【０００３】
輸送時の振動によって太陽電池モジュールが傷ついたり破損したりすることを防ぐため、太陽電池モジュールを個別に段ボールで梱包して保護した上で、積み重ねて輸送する方法が知られている。【０００４】
また、特許文献１，２には、太陽電池モジュールを積層する際に、太陽電池モジュール間に挟む支持部材が開示されている。
【先行技術文献】
【特許文献】
【０００５】
【特許文献１】特開２０１２−２２９０４０号公報
【特許文献２】特開２０１２−２２９０４１号公報
【発明の概要】
【発明が解決しようとする課題】
【０００６】
従来の太陽電池モジュール梱包体では、太陽電池モジュールを個別に段ボールで梱包するため、梱包の材料費が高くなり、開梱作業に時間がかかるという課題があった。また、輸送用に段ボールを多量に使用する必要があり、輸送後に使用済みの段ボールを廃棄・返却するための費用が高くなるという課題があった。【０００７】
特許文献１，２に開示される支持部材は、樹脂材料を複雑な形状に成形したものであるため、製造コストが高くなってしまう。また、開梱作業時には、太陽電池モジュールの四隅に配置した支持部材を個別に取り外さなければならず、開梱作業に時間がかかってしまう。さらに、支持部材は、積層する太陽電池モジュール間に隙間が形成されるように嵩張る形状をしているため、使用後に廃棄・返却するための費用が高くなるという課題があった。【０００８】
本発明は、上記に鑑みてなされたものであって、梱包の材料費や使用後の廃棄・返却費を安価とでき、開梱作業の時間短縮が可能な太陽電池モジュール梱包体を得ることを目的とする。
【課題を解決するための手段】
【０００９】
上述した課題を解決し、目的を達成するために、本発明は、包装紙で太陽電池モジュールを包んだ包装体と、包装体を複数積み重ねて載せるパレットと、パレット上に積み重ねられた複数の包装体の四隅に設置されて、包装体の角部を保護する包装体保護部材と、パレット上に積み重ねられた複数の包装体と、包装体保護部材とを包んでパレットに固定するラッピング材と、を備えることを特徴とする。
【発明の効果】
【００１０】
本発明にかかる太陽電池モジュール梱包体は、開梱作業が容易で、使用済み梱包資材の廃棄・返却費用を低減できるという効果を奏する。
【図面の簡単な説明】
【００１１】
【図１】図１は、本発明にかかる太陽電池モジュール梱包体の実施の形態１の外観図である。
【図２】図２は、実施の形態１にかかる太陽電池モジュール梱包体の断面図である。
【図３】図３は、包装体を示す図である。
【図４】図４は、包装体を示す図である。
【図５】図５は、包装体を示す図である。
【図６】図６は、自動ロボットにて包装体を段積みする状態を示す図である。
【図７】図７は、自動ロボットが包装体をチャックする状態を示す断面図である。
【図８】図８は、本発明にかかる太陽電池モジュール梱包体の実施の形態２の構成を示す斜視図である。
【発明を実施するための形態】
【００１２】
以下に、本発明にかかる太陽電池モジュール梱包体の実施の形態を図面に基づいて詳細に説明する。なお、この実施の形態によりこの発明が限定されるものではない。
【００１３】
実施の形態１．
図１は、本発明にかかる太陽電池モジュール梱包体の実施の形態１の外観図である。図２は、実施の形態１にかかる太陽電池モジュール梱包体の断面図であり、図１におけるＩＩ−ＩＩ線に沿った断面を示す。図３、図４及び図５は、太陽電池モジュール梱包体を構成する包装体を示す図である。
【００１４】
実施の形態１にかかる太陽電池モジュール梱包体は、太陽電池モジュール５を包装紙６で包んだ包装体１と、包装体１を複数積み重ねて載せるパレット３と、積み重ねられた複数の包装体１の角部を保持する包装体保持部材２と、複数の包装体１とパレット３と包装体保持部材２とを纏めてラッピングして固定するラッピング材４とを備える。なお、図２においてはラッピング材を一点鎖線で表している。
【００１５】
図３、図４及び図５に示すように、包装体１は、太陽電池モジュール５を包装紙６で包んで形成される。包装紙６は、長手方向の長さは、太陽電池モジュール５の長さの１．５倍程度の長さであり、短手方向の長さは、太陽電池モジュール５の幅とほぼ同寸法の長さである。包装紙６は、太陽電池モジュール５のバックシート側（裏面側）を覆うように配置され、太陽電池モジュール５の両方の短辺のそれぞれにおいて太陽電池モジュール５の長さ寸法の１／４程度がガラス面側（表面側）に折り返される。包装紙６は、ガラス面及びフレーム面に密接するように、ガラス面側に折り返された両端の包装紙６の端部を太陽電池モジュール５の中央側に引っ張られ、この状態で、ガラス面に折り返された両端の包装紙６の端部とバックシート側の包装紙６とを、包装紙６のたるみが無いように、テープ７にて４箇所固定する。太陽電池モジュール５のバックシート側を包装紙６で全体的に覆うことにより、ガラスに比べて傷が付きやすいバックシートに加え、バックシート側に設置される端子ボックスやコネクタなどを保護することができる。また、ガラス面側の一部のみを包装紙６で覆うことで、資材の使用量を低減できる。
【００１６】
自動ロボットにて包装体１をパレット３に積載する場合、自動ロボットの爪１０が包装体１をチャックする位置とテープ７の固定位置とを一致させる。その結果、自動ロボットの爪１０がフレームと包装紙６との隙間に入ることを防止し、自動ロボットの爪１０によるフレーム傷付きを防止する。この形態を取ることにより、段ボール梱包と同様に、自動ロボットでのパレット積みを可能とし、作業人員アップを抑制する。
【００１７】
包装紙６を固定するテープ７を４箇所に設けることにより、自動ロボットの４個の爪で包装体１を保持できるため、自動ロボットの積載時に安定して保持することができる。
【００１８】
このようにして形成した包装体１を、太陽電池モジュール５の外形よりも大きいパレット３の上に、複数台平積みする。図６は、自動ロボットにて包装体を段積みする状態を示す図である。図７は、自動ロボットが包装体をチャックする状態を示す断面図である。
【００１９】
パレット３は、通常輸送に用いられるものと同様に木製であり、側面に移載用フォークリフトの爪を挿入するための穴が設けられている。パレット３の大きさは、自動ロボットにて段積みする際の精度を考慮し、多少ずれてもパレット３から包装体１がはみ出さないように、太陽電池モジュール５の外形よりも一回り大きくなっている。
【００２０】
所定の台数、例えば、１０台の包装体１を平積みした後、積み重ねた包装体１の四隅の外側に包装体保持部材２を配置する。包装体保持部材２は、厚紙を積層して形成され、包装体１の角に沿って曲げられて、包装体１の角を覆うように配置される。包装体保持部材２の高さは、複数の包装体１を積み重ねた高さとほぼ等しい。包装体保持部材２は、積み重ねた包装体１の四隅の外側にテープ１２を用いて包装体１に仮固定される。
【００２１】
パレット３の上に複数の包装体１を積み重ね、角部に包装体保持部材２を配置し、最上段の包装体１の上に包装体１とほぼ等しい面積を有し、最上段の包装体１の太陽電池モジュール５のガラス面を保護する保護紙１１を載せる。その後、周囲をラッピング材４で巻いて、パレット３と、複数の包装材１と、包装体保持部材２とを固定する。
【００２２】
ラッピング材４は、例えば透明なポリエチレンフィルムであり、伸縮性及び接着性を有している。ラッピング材４を、パレット３の上側角部と、複数の包装体１の側面と、包装体保持部材２と、最上段の包装体１の上側角部とを覆うように巻き付けることにより、パレット３と複数の包装体１と包装体保持部材２とを固定できる。ラッピング材４は伸縮性及び接着性を有しているため、弛みがない状態で巻き付けることによって積み重ねた包装体１及びパレット３の外形に合わせて隙間無く巻き付き、全体を容易に固定することができる。
【００２３】
また、ラッピング材４は透明な材料で構成されているため、巻き付ける作業を容易に実施できるとともに、固定した後もラッピング材４の中にある包装体１や包装体保持部材２を容易に視認できる。
【００２４】
このように、パレット３と、複数の包装体１と、包装体保持部材２とをラッピング材４で巻くことにより、太陽電池モジュール梱包体が形成される。太陽電池モジュール５は、強度のあるフレームを外周に有しており、積み重ねても問題ない強度を元々備えている。
【００２５】
太陽電池モジュール５を包装紙６で包んで包装体を形成してから積み重ねることにより、フレーム同士が擦れて傷が付くことを防止できる。また、積み重ねた包装体１の四隅を包装体保持部材２で保持することにより、包装体１がずれることを防止できる。さらに、包装体１と包装体保持部材２とにラッピング材４を巻き付けることにより、包装体保持部材２を包装体１にしっかりと押し当てて、包装体１のずれを押さえることができる。
【００２６】
また、ラッピング材４をパレット３の上側角部にも巻き付けることにより、複数の包装体１とパレット３とを固定できる。また、ラッピング材４を最上段の包装体１の上側角部にも巻き付けることにより、包装体１が上下に動くことを防止して固定することができる。これにより、輸送中に振動があっても、太陽電池モジュール５をパレット３にしっかり固定できるので、太陽電池モジュール５が傷付いたり、破損したりすることを防止できる。
【００２７】
太陽電池モジュール５に被せる包装紙６は、段ボールと比べて軽量であるため、太陽電池モジュール梱包体の軽量化を図れる。また、開梱作業に当たっては、包装紙６を破いて太陽電池モジュール５を取り出すことができるため、太陽電池モジュール５を個別に段ボールで梱包する場合と比較して、作業性が格段に向上する。さらに、開梱後の不要な梱包資材の重量及び嵩も低減できるため、廃棄時の回収も容易である。さらに、段ボールよりも安価な包装紙６を用いることで、梱包資材の材料コストを低減できる。
【００２８】
実施の形態２．
本発明にかかる太陽電池モジュール梱包体の実施の形態２について説明する。包装体１、包装材保護部材２、パレット３、ラッピング材４及び保護紙１１は、実施の形態１と同様である。図８は、本発明にかかる太陽電池モジュール梱包体の実施の形態２の構成を示す斜視図である。実施の形態２に係る太陽電池モジュール梱包体は、実施の形態１に係る太陽電池モジュール梱包体に対して、固定バンド８とバンド保護部材９とを追加した構成である。すなわち、実施の形態２にかかる太陽電池モジュール梱包体は、太陽電池モジュール５を包装紙６で包んだ包装体１と、包装体１を複数積み重ねて載せるパレット３と、積み重ねられた複数の包装体１の角部を保持する包装材保持部材２と、複数の包装体１と、パレット３と、包装体保持部材２とをまとめてラッピングして固定するラッピング材４と、複数の包装体１と、パレット３とを固定する固定バンド８と、包装体１と固定バンド８との間に配置されるバンド保護部材９とを備える。
【００２９】
固定バンド８は、パレット３の穴を通り、最上段の包装体１の上側角部をラッピング材４の上から押さえるようにループ状に形成され、全体を締め付けて複数の包装体１とパレット３との固定を強固にする。バンド保護部材９は、ラッピング材４と固定バンド８との間に配置され、固定バンド８によって太陽電池モジュール５に傷が付くことを防止する。
【００３０】
このように構成することにより、複数の包装体１とパレット３との固定を強固にし、ラッピング材４が伸縮しても包装体１をパレット３にしっかりと固定できる。また、固定バンド８とラッピング材４との間にはバンド保護部材９が配置されているため、固定バンド８で引っ張って局所的な力が働いても、太陽電池モジュール５を傷つけることはない。これにより、輸送中に振動があっても太陽電池モジュール５をパレット３にしっかり固定できるので、太陽電池モジュール５が傷付いたり、破損したりすることを防止できる。
【産業上の利用可能性】
【００３１】
以上のように、本発明にかかる太陽電池モジュール梱包体及び太陽電池モジュールの梱包方法は、開梱作業が容易で、使用済み梱包資材の廃棄・返却費用を低減できる点で有用であり、特に、メガソーラ等の大量の太陽電池モジュールを設置する場所へ配送する太陽電池モジュールを梱包するのに適している。
【符号の説明】
【００３２】
１  包装体、２  包装体保持部材、３  パレット、４  ラッピング材、５  太陽電池モジュール、６  包装紙、７，１２  テープ、８  固定バンド、９  バンド保護部材、１０  自動ロボットの爪、１１  保護紙。
【図１】
2015011818.tif 000003
【図２】
2015011818.tif 000004
【図３】
2015011818.tif 000005
【図４】
2015011818.tif 000006
【図５】
2015011818.tif 000007
【図６】
2015011818.tif 000008
【図７】
2015011818.tif 000009
【図８】
2015011818.tif 000010
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
太陽電池モジュールと同じ幅の包装紙で前記太陽電池モジュールを包んだ包装体と、
前記包装体を複数積み重ねて載せるパレットと、
前記パレット上に積み重ねられた複数の前記包装体の四隅に設置されて、該包装体の角部を保護する包装体保護部材と、
前記パレット上に積み重ねられた複数の前記包装体と、前記包装体保護部材とを包んで前記パレットに固定するラッピング材と、
を備えることを特徴とする太陽電池モジュール梱包体。
【請求項２】
前記包装紙は、長手方向の長さは前記太陽電池モジュールの長さよりも長く、
前記包装体は、前記太陽電池モジュールの裏面側に被せた前記包装紙の長手方向の端部を、前記太陽電池モジュールの両短辺で表面に折り返して形成されていることを特徴とする請求項１に記載の太陽電池モジュール梱包体。
【請求項３】
前記包装体は、前記包装紙の前記太陽電池モジュールの裏面側に被せられた部分と、前記太陽電池モジュールの表面側に折り返した部分とを、前記太陽電池モジュールの長辺側の側面を跨いで接着するテープを有し、
前記テープは、前記太陽電池モジュールの四隅に対応して４箇所に設置されていることを特徴とする請求項２に記載の太陽電池モジュール梱包体。
【請求項４】
前記パレットと、該パレット上に積み重ねられた複数の前記包装体とに巻き付けられる固定バンドと、
前記包装体と前記固定バンドとの間に挿入されるバンド保護部材とを備えることを特徴とする請求項１から３のいずれか１項に記載の太陽電池モジュール梱包体。
【請求項５】
太陽電池モジュールと同じ幅の包装紙で前記太陽電池モジュールを包んだ包装体を複数形成する工程と、
前記包装体を複数積み重ねてパレットに載せる工程と、
前記パレット上に積み重ねられた複数の前記包装体の四隅に、該包装体の角部を保護する包装体保護部材を設置する工程と、
前記パレット上に積み重ねられた複数の前記包装体と、前記包装体保護部材とをパレットにラッピングして固定する工程と、
を備えることを特徴とする太陽電池モジュールの梱包方法。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
平面視長方形形状の太陽電池モジュールの短辺と同じ幅の包装紙で前記太陽電池モジュールを包んだ包装体と、
前記包装体を複数積み重ねて載せるパレットと、
前記パレット上に積み重ねられた複数の前記包装体の四隅に設置されて、該包装体の角部を保護する包装体保護部材と、
前記パレット上に積み重ねられた複数の前記包装体と、前記包装体保護部材とを包んで前記パレットに固定するラッピング材と、
を備えることを特徴とする太陽電池モジュール梱包体。
【請求項２】
前記包装紙は、長手方向の長さは前記太陽電池モジュールの長辺の長さよりも長く、
前記包装体は、前記太陽電池モジュールの裏面側に被せた前記包装紙の長手方向の端部を、前記太陽電池モジュールの両短辺で表面に折り返して形成されていることを特徴とする請求項１に記載の太陽電池モジュール梱包体。
【請求項３】
前記包装体は、前記包装紙の前記太陽電池モジュールの裏面側に被せられた部分と、前記太陽電池モジュールの表面側に折り返した部分とを、前記太陽電池モジュールの長辺側の側面を跨いで接着するテープを有し、
前記テープは、前記太陽電池モジュールの四隅に対応して４箇所に設置されていることを特徴とする請求項２に記載の太陽電池モジュール梱包体。
【請求項４】
前記パレットと、該パレット上に積み重ねられた複数の前記包装体とに巻き付けられる固定バンドと、
前記包装体と前記固定バンドとの間に挿入されるバンド保護部材とを備えることを特徴とする請求項１から３のいずれか１項に記載の太陽電池モジュール梱包体。
【請求項５】
平面視長方形形状の太陽電池モジュールの短辺と同じ幅の包装紙で前記太陽電池モジュールを包んだ包装体を複数形成する工程と、
前記包装体を複数積み重ねてパレットに載せる工程と、
前記パレット上に積み重ねられた複数の前記包装体の四隅に、該包装体の角部を保護する包装体保護部材を設置する工程と、
前記パレット上に積み重ねられた複数の前記包装体と、前記包装体保護部材とをパレットにラッピングして固定する工程と、
を備えることを特徴とする太陽電池モジュールの梱包方法。
【手続補正２】
【補正対象書類名】明細書
【補正対象項目名】００１４
【補正方法】変更
【補正の内容】
【００１４】
実施の形態１にかかる太陽電池モジュール梱包体は、太陽電池モジュール５を包装紙６で包んだ包装体１と、包装体１を複数積み重ねて載せるパレット３と、積み重ねられた複数の包装体１の角部を保護する包装体保護部材２と、複数の包装体１とパレット３と包装体保護部材２とを纏めてラッピングして固定するラッピング材４とを備える。なお、図２においてはラッピング材４を一点鎖線で表している。
【手続補正３】
【補正対象書類名】明細書
【補正対象項目名】００２０
【補正方法】変更
【補正の内容】
【００２０】
所定の台数、例えば、１０台の包装体１を平積みした後、積み重ねた包装体１の四隅の外側に包装体保護部材２を配置する。包装体保護部材２は、厚紙を積層して形成され、包装体１の角に沿って曲げられて、包装体１の角を覆うように配置される。包装体保護部材２の高さは、複数の包装体１を積み重ねた高さとほぼ等しい。包装体保護部材２は、積み重ねた包装体１の四隅の外側にテープ１２を用いて包装体１に仮固定される。
【手続補正４】
【補正対象書類名】明細書
【補正対象項目名】００２１
【補正方法】変更
【補正の内容】
【００２１】
パレット３の上に複数の包装体１を積み重ね、角部に包装体保護部材２を配置し、最上段の包装体１の上に包装体１とほぼ等しい面積を有し、最上段の包装体１の太陽電池モジュール５のガラス面を保護する保護紙１１を載せる。その後、周囲をラッピング材４で巻いて、パレット３と、複数の包装体１と、包装体保護部材２とを固定する。
【手続補正５】
【補正対象書類名】明細書
【補正対象項目名】００２２
【補正方法】変更
【補正の内容】
【００２２】
ラッピング材４は、例えば透明なポリエチレンフィルムであり、伸縮性及び接着性を有している。ラッピング材４を、パレット３の上側角部と、複数の包装体１の側面と、包装体保護部材２と、最上段の包装体１の上側角部とを覆うように巻き付けることにより、パレット３と複数の包装体１と包装体保護部材２とを固定できる。ラッピング材４は伸縮性及び接着性を有しているため、弛みがない状態で巻き付けることによって積み重ねた包装体１及びパレット３の外形に合わせて隙間無く巻き付き、全体を容易に固定することができる。
【手続補正６】
【補正対象書類名】明細書
【補正対象項目名】００２３
【補正方法】変更
【補正の内容】
【００２３】
また、ラッピング材４は透明な材料で構成されているため、巻き付ける作業を容易に実施できるとともに、固定した後もラッピング材４の中にある包装体１や包装体保護部材２を容易に視認できる。
【手続補正７】
【補正対象書類名】明細書
【補正対象項目名】００２４
【補正方法】変更
【補正の内容】
【００２４】
このように、パレット３と、複数の包装体１と、包装体保護部材２とをラッピング材４で巻くことにより、太陽電池モジュール梱包体が形成される。太陽電池モジュール５は、強度のあるフレームを外周に有しており、積み重ねても問題ない強度を元々備えている。
【手続補正８】
【補正対象書類名】明細書
【補正対象項目名】００２５
【補正方法】変更
【補正の内容】
【００２５】
太陽電池モジュール５を包装紙６で包んで包装体を形成してから積み重ねることにより、フレーム同士が擦れて傷が付くことを防止できる。また、積み重ねた包装体１の四隅を包装体保護部材２で保護することにより、包装体１がずれることを防止できる。さらに、包装体１と包装体保護部材２とにラッピング材４を巻き付けることにより、包装体保護部材２を包装体１にしっかりと押し当てて、包装体１のずれを押さえることができる。
【手続補正９】
【補正対象書類名】明細書
【補正対象項目名】００２８
【補正方法】変更
【補正の内容】
【００２８】
実施の形態２．
本発明にかかる太陽電池モジュール梱包体の実施の形態２について説明する。包装体１、包装体保護部材２、パレット３、ラッピング材４及び保護紙１１は、実施の形態１と同様である。図８は、本発明にかかる太陽電池モジュール梱包体の実施の形態２の構成を示す斜視図である。実施の形態２に係る太陽電池モジュール梱包体は、実施の形態１に係る太陽電池モジュール梱包体に対して、固定バンド８とバンド保護部材９とを追加した構成である。すなわち、実施の形態２にかかる太陽電池モジュール梱包体は、太陽電池モジュール５を包装紙６で包んだ包装体１と、包装体１を複数積み重ねて載せるパレット３と、積み重ねられた複数の包装体１の角部を保護する包装体保護部材２と、複数の包装体１と、パレット３と、包装体保護部材２とをまとめてラッピングして固定するラッピング材４と、複数の包装体１と、パレット３とを固定する固定バンド８と、包装体１と固定バンド８との間に配置されるバンド保護部材９とを備える。
【手続補正１０】
【補正対象書類名】明細書
【補正対象項目名】００３２
【補正方法】変更
【補正の内容】
【００３２】
１  包装体、２  包装体保護部材、３  パレット、４  ラッピング材、５  太陽電池モジュール、６  包装紙、７，１２  テープ、８  固定バンド、９  バンド保護部材、１０  自動ロボットの爪、１１  保護紙。
【国際調査報告】
2015011818.tif 000011
2015011818.tif 000012
2015011818.tif 000013
2015011818.tif 000014